(57)【要約】      （修正有）【課題】ポンプ内部の点検を容易化する。【解決手段】回転軸１１と前記回転軸に固定された羽根車１２とを含む回転体１３と、回転体の周囲を覆う揚水管１４と、揚水管の外面に固定され且つ内視鏡を案内するためのレール２１と、を備える。【選択図】図１
2018159336.tif 000002
【特許請求の範囲】
【請求項１】
回転軸と前記回転軸に固定された羽根車とを含む回転体と、
前記回転体の周囲を覆う揚水管と、
前記揚水管の外面に固定され且つ内視鏡を案内するためのレールと、
を備えるポンプ。
【請求項２】
前記レールは、内部を前記内視鏡が通過するための管である
請求項１に記載のポンプ。
【請求項３】
前記管には、途中から分岐する分岐管が少なくとも一つ形成されており、前記分岐管の出口の端部が前記揚水管に固定されている
を有する請求項２に記載のポンプ。
【請求項４】
前記分岐管が前記管から分岐するところに、目印が設けられている
請求項３に記載のポンプ。
【請求項５】
前記目印は、反射材である
請求項４に記載のポンプ。
【請求項６】
前記揚水管には貫通孔が形成されており、
前記分岐管の出口は、前記貫通孔を介して前記揚水管に連通しており、
前記内視鏡は前記貫通孔を通過して前記揚水管の内部を観察する
請求項３から５のいずれか一項に記載のポンプ。
【請求項７】
前記揚水管には孔が形成されており、当該孔を塞ぐ透明な窓が設けられており、
前記内視鏡は前記窓越しに前記揚水管の内部を観察する
請求項３から５のいずれか一項に記載のポンプ。
【請求項８】
前記揚水管には孔が形成されており、開閉可能に当該孔を塞ぐフラップが設けられており、
前記内視鏡は前記フラップを押し開けて前記揚水管の内部を観察する
請求項３から５のいずれか一項に記載のポンプ。
【発明の詳細な説明】
【技術分野】
【０００１】
本発明は、ポンプに関する。
【背景技術】
【０００２】
ポンプ設備等の施設機械設備は、土木施設と異なり多数の機器・部材等から構成された集合体であることから、設備の機能の維持、ひいては設備の長寿命化を図るためには、日常管理における機器、部材等の適切な点検・整備が必要不可欠である。
【０００３】
近年、ポンプ内部の点検のために工業用内視鏡が活用される事例がある。ポンプ内部の点検時にケーシングのハンドホールから工業用内視鏡を挿入することにより、これまで分解整備でしか確認できなかった箇所の目視確認が可能となっている。
【先行技術文献】
【非特許文献】
【０００４】
【非特許文献１】国土交通省総合政策局公共事業企画調整課、水管理・国土保全局河川環境課『河川ポンプ設備点検・整備・更新マニュアル（案）』、平成２７年３月
【発明の概要】
【発明が解決しようとする課題】
【０００５】
しかしながら、このように工業用内視鏡を用いた点検では、工業用内視鏡の先端の位置の把握に苦労し、工業用内視鏡の先端を見たい位置まで届くようにすることに苦労してしまうという問題がある。
【０００６】
本発明は、上記問題に鑑みてなされたものであり、ポンプ内部の点検を容易化することを可能とするポンプを提供することを目的とする。
【課題を解決するための手段】
【０００７】
本発明の第１の態様に係るポンプは、回転軸と前記回転軸に固定された羽根車とを含む回転体と、前記回転体の周囲を覆う揚水管と、前記揚水管の外面に固定され且つ内視鏡を案内するためのレールと、を備える。
【０００８】
この構成によれば、内視鏡をレールに沿って移動することができ、内視鏡で観察している位置を把握することができるので、ポンプ内部の点検を容易化することができる。
【０００９】
本発明の第２の態様に係るポンプは、第１の態様に係るポンプであって、前記レールは、内部を前記内視鏡が通過するための管である。
【００１０】
この構成によれば、内視鏡を管に沿って移動することができ、内視鏡で観察している位置を把握することができるので、ポンプ内部の点検を容易化することができる。
【００１１】
本発明の第３の態様に係るポンプは、第２の態様に係るポンプであって、前記管には、途中から分岐する分岐管が少なくとも一つ形成されており前記分岐管の出口の端部が前記揚水管に固定されている。
【００１２】
この構成によれば、内視鏡を分岐管に通すことにより、内視鏡を予め位置が既知である分岐管の出口に誘導することができる。
【００１３】
本発明の第４の態様に係るポンプは、第３の態様に係るポンプであって、前記分岐管が前記管から分岐するところに、目印が設けられている。
【００１４】
この構成によれば、内視鏡で目印を撮影することにより、目印の色または形などから、どの分岐管であるのかを識別することができる。このため、それぞれの分岐管が揚水管のどの位置に固定されているかは既知であるので、内視鏡で揚水管のどこの部位を観察しているのかを把握することができる。
【００１５】
本発明の第５の態様に係るポンプは、第４の態様に係るポンプであって、前記目印は、反射材である。
【００１６】
この構成によれば、内視鏡で反射材を撮影することにより、反射材の色または形などから、どの分岐管であるのかを識別することができる。このため、それぞれの分岐管が揚水管のどの位置に固定されているかは既知であるので、内視鏡で揚水管のどこの部位を観察しているのかを把握することができる。
【００１７】
本発明の第６の態様に係るポンプは、第３から５のいずれかの態様に係るポンプであって、前記揚水管には貫通孔が形成されており、前記分岐管の出口は、前記貫通孔を介して前記揚水管に連通しており、前記内視鏡は前記貫通孔を通過して前記揚水管の内部を観察する。
【００１８】
この構成によれば、内視鏡を揚水管の内部に進入させて揚水管の内部を観察することができる。
【００１９】
本発明の第７の態様に係るポンプは、第３から５のいずれかの態様に係るポンプであって、前記揚水管には孔が形成されており、当該孔を塞ぐ透明な窓が設けられており、前記内視鏡は前記窓越しに前記揚水管の内部を観察する。
【００２０】
この構成によれば、管の内部に汲み上げられた流体に含まれる砂または石などが入らないので、管内を綺麗な状態に保つことができ、管の内部を掃除することなく揚水管の内部を観察することができる。
【００２１】
本発明の第８の態様に係るポンプは、第３から５のいずれかの態様に係るポンプであって、前記揚水管には孔が形成されており、開閉可能に当該孔を塞ぐフラップが設けられており、前記内視鏡は前記フラップを押し開けて前記揚水管の内部を観察する。
【００２２】
この構成によれば、内視鏡を揚水管の内部に進入させて揚水管の内部を観察することができる。
【発明の効果】
【００２３】
本発明の一態様によれば、内視鏡をレールに沿って移動することができ、内視鏡で観察している位置を把握することができるので、ポンプ内部の点検を容易化することができる。
【図面の簡単な説明】
【００２４】
【図１】第１の実施形態によるポンプ１０の概略構成を示す断面図である。
【図２】図１の領域Ｒの概略拡大図である。
【図３】第１の変形例に係る図１の領域Ｒの概略拡大図である。
【図４】第２の変形例においてフラップを押し開ける前の図１の領域Ｒの概略拡大図である。
【図５】第２の変形例においてフラップを押し開けた後の図１の領域Ｒの概略拡大図である。
【発明を実施するための形態】
【００２５】
以下、各実施形態について、図面を参照しながら説明する。なお、本明細書に添付する図面においては、図示の理解のしやすさの便宜上、適宜縮尺および縦横の寸法比等を、実物のそれらから変更し誇張してある。
【００２６】
（第１の実施形態）
図１は、第１の実施形態によるポンプ１０の概略構成を示す断面図である。図１に示すように、ポンプ１０は立軸ポンプであり、回転軸１１と回転軸１１に固定された羽根車１２とを含む回転体１３と、回転体１３の周囲を覆う揚水管１４と、を備える。揚水管１４は、ベース１８によって、ポンプ床１９に固定されている。
【００２７】
このうち揚水管１４は、軸方向に延びる筒形状を有しており、回転軸１１は、揚水管１４の内部に回転可能に挿設されている。羽根車１２は、回転軸１１の下端部に同軸状に固定されている。
【００２８】
回転軸１１の上端部には原動機（図示せず）が取り付けられており、原動機から出力される駆動力によって羽根車１２と回転軸１１とが一体に回転される。羽根車１２の回転により揚水管１４内の流体が汲み上げられることで、揚水管１４の下端部の吸込口１４ｂから新たな液体が吸い込まれ、吸い込まれた液体が揚水管１４の上端部の吐出口１４ａから吐き出される。
【００２９】
図１に示すように、更にポンプ１０は、揚水管１４の内部に配置され且つ回転軸１１を回転可能に支持する水中軸受１５と、揚水管１４の内部に配置され且つ水中軸受１５を支持する軸受支え１５１と、軸受支え１５１を支持する静翼（ガイドベーン）１５２とを備える。静翼１５２は、揚水管１４に固定されている。更にポンプ１０は、揚水管１４の内面の位置であって羽根車１２に間隔を設けて対向する位置に設けられたケーシングライナ１２ｂを備える。
【００３０】
図１に示すように、更にポンプ１０は、揚水管１４の内部に配置され且つ回転軸１１を回転可能に支持する中間軸受１６と、揚水管１４の内部に配置され且つ中間軸受１６を支持する軸受支え１６１とを備える。
【００３１】
図１に示すように、更にポンプ１０は、揚水管１４の内部に配置され且つ回転軸１１を回転可能に支持する中間軸受１７と、揚水管１４の内部に固定され且つ中間軸受１７を支持する軸受支え１７１とを備える。
【００３２】
図１に示すように、揚水管１４の外面に固定され且つ内視鏡を案内するためのレールの一例として管２１が設けられている。また、内視鏡には、レール（ここでは管２１）上を滑る部材（例えば、Ｃ型のリングなど）を付けられ、内視鏡はレール（ここでは管２１）上を滑りながら移動させる。
【００３３】
管２１は、図１に示すように鉛直方向に直線状でもよいし、螺旋状であってもよい。また、管２１は、常設であってもよいし、観察時に設置してもよい。ここでは、管２１は、常設であるものとして説明する。本実施形態では一例としてこの管２１は、内部を内視鏡が通過するための管であるものとして説明する。
【００３４】
管２１には、途中から分岐する分岐管が少なくとも一つ形成されている。本実施形態では一例として、六つの分岐管３１〜３６を有する。分岐管３１〜３６の出口の端部が揚水管１４に固定されている。この構成により、内視鏡を分岐管に通すことにより、内視鏡を予め位置が既知である分岐管の出口に誘導することができる。
【００３５】
管２１の入口には、蓋２２が設けられており、管２１の入口が閉じられている。これにより、管２１の内部にゴミが入るのを防ぐとともに、ポンプによって汲み上げられた水が管の入口から排出されないようにすることができる。
【００３６】
図２は、図１の領域Ｒの概略拡大図である。図２に示すように、分岐管３１が管２１から分岐するところに、目印（または標識）が設けられている。ここでは目印の一例として反射材２３が設けられている。この構成により、内視鏡ＦＢで反射材２３を撮影することにより、反射材２３の色または形などから、どの分岐管であるのかを識別することができる。このため、それぞれの分岐管が揚水管１４のどの位置に固定されているかは既知であるので、内視鏡ＦＢで揚水管１４のどこの部位を観察しているのかを把握することができる。
【００３７】
また、図２に示すように、分岐管３１は、アールが設けられているか、または面取りされている。これにより、先端にＣＣＤカメラなどが設けられた内視鏡ＦＢがスムーズに分岐管３１の内部に進入することができる。
【００３８】
図２に示すように、分岐管３１の出口は、貫通孔Ｈを介して揚水管１４に連通しており、内視鏡ＦＢは貫通孔Ｈを通過して揚水管１４の内部を観察する。この構成により、内視鏡ＦＢを揚水管１４の内部に進入させて揚水管１４の内部を観察することができる。
【００３９】
以上、第１の実施形態に係るポンプ１０は、回転軸１１と回転軸１１に固定された羽根車１２とを含む回転体１３と、回転体１３の周囲を覆う揚水管１４と、揚水管１４の外面に固定され且つ内視鏡ＦＢを案内するためのレールとしての管２１と、を備える。
【００４０】
この構成により、内視鏡ＦＢをレールとしての管２１に沿って移動することができ、内視鏡ＦＢで観察している位置を把握することができるので、ポンプ内部の点検を容易化することができる。
【００４１】
以上のように、本出願において開示する技術の例示として、実施形態を説明した。しかしながら、本開示における技術は、これに限定されず、変更、置き換え、付加、省略などを行った実施形態にも適用できる。
【００４２】
そこで、以下、他の実施形態を例示する。
（第１の変形例）
まず第１の変形例について図３を用いて説明する。図３は、第１の変形例に係る図１の領域Ｒの概略拡大図である。図３に示すように、揚水管には孔が形成されており、当該孔を塞ぐ透明な窓２４が設けられている。内視鏡ＦＢはこの窓２４越しに揚水管１４の内部を観察する。この構成により、管２１の内部に汲み上げられた流体に含まれる砂または石などが入らないので、管２１内を綺麗な状態に保つことができ、管２１の内部を掃除することなく揚水管１４の内部を観察することができる。
【００４３】
（第２の変形例）
続いて、第２の変形例について図４及び５を用いて説明する。
図４は、第２の変形例においてフラップを押し開ける前の図１の領域Ｒの概略拡大図である。図５は、第２の変形例においてフラップを押し開けた後の図１の領域Ｒの概略拡大図である。図４及び５に示すように、揚水管には孔が形成されており、開閉可能に当該孔を塞ぐフラップ２５が設けられている。内視鏡ＦＢはこのフラップ２５を押し開けて揚水管１４の内部を観察する。この構成により、内視鏡ＦＢを揚水管１４の内部に進入させて揚水管１４の内部を観察することができる。
【００４４】
なお、本実施形態及び第２の変形例において、掃除部材を用いて、管２１の内部に溜まった砂、石などを飛ばしから、内視鏡ＦＢを管２１内に挿入してもよい。
【００４５】
以上、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。更に、異なる実施形態にわたる構成要素を適宜組み合わせてもよい。
【符号の説明】
【００４６】
１０    ポンプ
１１    回転軸
１２    羽根車
１２ｂ  ケーシングライナ
１３    回転体
１４    揚水管
１４ａ  吐出口
１４ｂ  吸込口
１５  水中軸受
１５１、１６１、１６２  軸受支え
１５２  静翼
１６、１７  中間軸受
１８  ベース
１９  ポンプ床
２１  管
２２  蓋
２３  反射材
２４  窓
２５  フラップ
３１〜３６  分岐管
【図１】
2018159336.tif 000003
【図２】
2018159336.tif 000004
【図３】
2018159336.tif 000005
【図４】
2018159336.tif 000006
【図５】
2018159336.tif 000007